(57)【要約】【課題】  非同期伝送モード網で中継線上に発生する障害を表示するアラームを感知するシステムを提供する。【解決手段】  中継線上で発生した障害を知らせるアラームを受信することができない場合、中継線を通してデータを正常的に受信することができなかったに従うセル区分失敗アラームが発生したか否かを確認し、セル区分失敗アラームの発生を報告する基地局制御器と、基地局制御器から受信したセル区分失敗アラームの報告に従って障害を管理する障害管理部と、中継線上に障害が発生したことを認識すると、障害管理部にセル区分失敗アラームの発生を通知する基地局と、を含む。【選択図】  図３
2005218083.tif 000002
【特許請求の範囲】
【請求項１】
非同期伝送モード網で中継線上に発生する障害を表示するアラームを感知するための方法であって、
前記中継線上で障害を知らせるアラームを受信することができない場合、前記中継線を通してデータを正常的に受信することができなかったに従うセル区分失敗アラームが発生したか否かを確認するステップと、
前記セル区分失敗アラームが発生すると、障害管理部及び送信終端にセル区分失敗アラームの発生を報告するステップと、
前記セル区分失敗アラームの発生に関する報告を通して前記発生された障害が正常状態に復旧された場合、前記障害管理部及び送信終端にセル区分失敗アラーム解除指示を伝送し、前記区分失敗アラームを解除するステップと、
を含むことを特徴とする方法。
【請求項２】
前記セル区分失敗アラームの発生を報告するステップは、
前記中継線上の物理的媒体を通してデータが受信されないに従って障害の発生を認識するステップと、
前記障害が発生するに従って前記セル区分失敗アラームが発生すると、前記障害管理部にセル区分失敗アラームの発生を報告するステップと、
前記セル区分失敗アラームが発生すると、前記セル区分失敗アラームの発生を知らせる情報を含む遠隔セル区分失敗メッセージを受信するステップと、を含むことを特徴とする請求項１記載の方法。
【請求項３】
前記遠隔セル区分失敗メッセージは、前記予め設定された時間間隔で前記セル区分失敗アラームが解除されるまで、前記送信終端に伝送することを特徴とする請求項２記載の方法。
【請求項４】
前記セル区分失敗アラーム解除を報告するステップは、
前記中継線上の物理的媒体を通じてデータが受信されることに従って障害が発生されないことを認識するステップと、
前記障害が発生しないに従って前記セル区分失敗アラーム解除を前記障害管理部に報告するステップと、
前記障害が発生しないに従って前記セル区分失敗アラームの解除を知らせる情報を含む遠隔セル区分失敗解除メッセージを前記送信終端に伝送するステップと、
前記基地局から前記セル区分失敗アラームの解除に対する応答を受信すると、前記セル区分失敗解除メッセージの伝送を中止するステップと、を含むことを特徴とする請求項１記載の方法。
【請求項５】
前記遠隔セル区分失敗解除メッセージは、前記予め設定された時間間隔で前記セル区分失敗アラームの解除に対する応答を受信するときまで、前記送信終端に伝送されることを特徴とする請求項４記載の方法。
【請求項６】
非同期伝送モード網で中継線上に発生する障害を表示するアラームを感知するためのシステムであって、
前記中継線上で発生した障害を知らせるアラームを受信することができない場合、前記中継線を通してデータを正常的に受信することができなかったに従うセル区分失敗アラームが発生したか否かを確認し、前記セル区分失敗アラームの発生を報告する基地局制御器と、
前記基地局制御器から受信した前記セル区分失敗アラームの報告に従って障害を管理する障害管理部と、
前記中継線上に障害が発生したことを認識すると、前記障害管理部に前記セル区分失敗アラームの発生を通知する基地局と、
を含むことを特徴とするシステム。
【請求項７】
前記基地局制御器は、
前記中継線上の物理的媒体を通してデータが受信されるに従って障害が発生しなかったことを確認し、前記セル区分失敗アラームの解除を前記障害管理部及び前記基地局に送信することを特徴とする請求項６記載のシステム。
【請求項８】
前記基地局制御器は、
前記中継線上の物理的媒体を通してデータが受信されないに従って障害の発生を認識し、前記セル区分失敗アラームが発生すると、前記セル区分失敗アラームの発生を知らせる情報を含むセル遠隔セル区分失敗メッセージを伝送する装置ドライバーと、
前記遠隔セル区分失敗メッセージを受信して前記障害管理部にセル区分失敗アラームの発生を報告し、前記基地局に遠隔セル区分失敗メッセージを伝送する近終端部と、を含むことを特徴とする請求項６記載のシステム。
【請求項９】
前記遠隔セル区分失敗メッセージは、予め設定された時間間隔で前記セル区分失敗アラームが解除されるまで、前記基地局に伝送されることを特徴とする請求項８記載のシステム。
【請求項１０】
前記装置ドライバーは、
前記中継線上の物理的媒体を通してデータが正常的に受信されるに従って障害が発生しないことを確認し、前記近終端部に遠隔セル区分失敗解除メッセージを伝送することを特徴とする請求項８記載のシステム。
【請求項１１】
前記近終端部は、
前記中継線上の物理的媒体を通してデータが正常的に受信されると、前記基地局に遠隔セル区分失敗解除メッセージを伝送し、前記基地局から前記遠隔セル区分失敗解除メッセージに対する応答を受信すると、前記遠隔セル区分失敗解除メッセージの伝送を中止することを特徴とする請求項８記載のシステム。
【請求項１２】
前記遠隔セル区分失敗解除メッセージは、前記予め設定された時間間隔で前記遠隔セル区分失敗解除メッセージに対する応答を受信するときまで、前記基地局に伝送されることを特徴とする請求項１１記載のシステム。
【発明の詳細な説明】
【技術分野】
【０００１】
本発明は、移動通信システムの非同期伝送モード（Asynchronous Transfer Mode;ＡＴＭ）網において、運用及び維持保守方法及びシステムに関し、中継線上のアラームを伝送しない商用網でアラームを感知するための方法及びシステムに関する。
【背景技術】
【０００２】
従来では、中継線を通してデータを伝送するために、データをフレームで作り、幾つかの中継器と多重化器を通過することによって、各区間の性能監視及び維持保守情報がフレームに貯蔵される。中継線の維持保守のためには、多様な信号が使用され、終端のフレーマから検出された障害信号は、信号損失（Loss of Signal；ＬＯＳ）、フレーム損失（Loss of Frame；ＬＯＦ）、及びポインター信号損失(Loss of Pointer；ＬＯＰ)を含む。そして、中継線路上で発生する障害信号として、アラーム指示信号であるＡＩＳ（Alarm Indication Signal）及びＲＡＩ（Remote Alarm Indication）のような２種類の維持保守信号が伝送欠陥の検出及び位置を表示するのに使用される。
【０００３】
一般的に、中継線路に障害が発生すると、図１に示すように、フレーマに載せているＡＩＳ／ＲＡＩ警報信号を用いて障害を感知する。図１を参照して、このような中継線を介したＡＩＳ／ＲＡＩアラームを伝送する過程を説明する。
【０００４】
図１は、従来の伝送モード網で中継線を通したアラーム感知及び信号を示すブロック図である。
特定の方向に伝送される中継線に障害が発生する場合、中継線は、順方向（forward  direction）にＡＩＳを生成して伝送する。図１を参照すると、中継器-Ａ２１と中継器-Ｂ２２との間のリンク切断によって障害が発生した場合、中継器-Ａ２１は、基地局制御器（ＢＳＣ）１０にＡＩＳを生成して伝送する。そうすると、基地局制御器１０は、ＡＩＳを通して障害を認知することができる。
【０００５】
ＡＩＳを受信した終端、例えば、基地局制御器１０は、逆方向（backward direction）にＲＡＩ信号を１秒の周期で伝送する。このＲＡＩ信号は、中継器-Ａ２１及び中継器-Ｂ２２を通して基地局（base station transceiver subsystem；ＢＴＳ）３０に伝送される。そうすると、基地局３０は、受信されたＲＡＩを通して障害を認知することができる。
【０００６】
しかしながら、広帯域統合情報通信網（Integrated Services Digital Network；ＩＳＤＮ）から発展した商用網では、相互に異なる回線から伝送されたデータをタイムスロットに従って多重化するので、受信された特定のリンクで障害が発生しても、中継器は、多重化によってＡＩＳ／ＲＡＩを伝送することができない。このような多重化器によるＡＩＳ／ＲＡＩアラーム送信の断絶について、図２を参照して説明すると、下記の通りである。
【０００７】
図２は、従来の伝送モード網で多重化器によるアラーム送信の断絶を示すブロック図である。図２を参照すると、従来の方式で、多重化器は、多重化器-Ａ４１と多重化器-Ｂ４２との間にリンク切断が発生するので、終端にアラームを送信しなければならない。しかしながら、多重化によって、多重化器-Ａ４１は、基地局制御器１０にＡＩＳアラームを伝送しない。従って、基地局制御器１０は、受信側でのみ存在するＬＣＤ（Loss of Cell Delineation；以下、ＬＣＤと称する。）アラームを通して障害を認知することができる。そして、基地局制御器１０は、ＡＩＳアラームを受信することができなかったため、ＲＡＩアラームを伝送しない。その結果、多重化器-Ａ４１は、ＲＡＩアラームを逆方向に伝送しない。従って、基地局３０は、中継線上に障害の発生を認識することができない。
【０００８】
このように、最近の伝送規格を支援しない既存の商用網では、多重化によって中継線上で障害が発生したとしても、送受信終端は、障害を認識することができず、該当リンクに呼を継続して割り当てる。従って、システム運用の側面で中継線の障害がないにもかかわらず、呼サービスが正常的になされない、という問題点がある。
【発明の開示】
【発明が解決しようとする課題】
【０００９】
上記背景に鑑みて、本発明の目的は、移動通信システムにおけるデータを多重化して伝送する商用網に障害が発生する場合、アラームを発生して終端でアラームを感知する方法及び装置を提供することにある。
【００１０】
本発明の他の目的は、移動通信システムにおける商用網の影響を受けない送信収束副層（Transmission Convergence Sublayer）で検出されたＬＣＤアラームを障害として見なすことによってアラームを感知する方法及び装置を提供することにある。
【課題を解決するための手段】
【００１１】
このような目的を達成するために、本発明の方法は、非同期伝送モード網で中継線上に発生する障害を表示するアラームを感知するための方法であって、この中継線上で障害を知らせるアラームを受信することができない場合、この中継線を通してデータを正常的に受信することができなかったに従うセル区分失敗アラームが発生したか否かを確認するステップと、このセル区分失敗アラームが発生すると、障害管理部及び送信終端にセル区分失敗アラームの発生を報告するステップと、このセル区分失敗アラームの発生に関する報告を通してこの発生した障害が正常状態に復旧された場合、この障害管理部及び送信終端にセル区分失敗アラーム解除指示を伝送し、この区分失敗アラームを解除するステップと、を含むことを特徴とする。
【００１２】
また、本発明のシステムは、非同期伝送モード網で中継線上に発生する障害を表示するアラームを感知するためのシステムであって、この中継線上で発生した障害を知らせるアラームを受信することができない場合、この中継線を通してデータを正常的に受信することができなかったに従うセル区分失敗アラームが発生したか否かを確認し、このセル区分失敗アラームの発生を報告する基地局制御器と、この基地局制御器から受信したこのセル区分失敗アラームの報告に従って障害を管理する障害管理部と、この中継線上に障害が発生したことを認識すると、この障害管理部にこのセル区分失敗アラームの発生を通知する基地局と、を含むことを特徴とする。
【発明の効果】
【００１３】
本発明は、物理媒体副層を通して載せているデータに基づいて、障害が発生したか否かを判断するので、送信収束副層からデータを透明に伝送する中継器の影響を受けない。また、送受信終端で送信収束副層から検出されたＬＣＤアラームを障害として認識することによって、安定したシステムの運用を図ることができる、という長所がある。
【発明を実施するための最良の形態】
【００１４】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
ＡＴＭプロトコルにおいて、ＡＩＳ／ＲＡＩアラームが物理媒体副層（Physical Medium(ＰＭ) Sublayer）で検出され、商用網の中継器又は多重化器の影響を受けることができる。従って、本発明の実施形態は、商用網の影響を受けない送信収束副層（Transmission Convergence(ＴＣ) Sublayer）で検出されたセルデリニエーションの損失(Loss of Cell Delineation； 以下、ＬＣＤと称する。)アラームを障害として見なす。ここで、ＬＣＤアラームは、物理的媒体を通して到着したビットストリームをＡＴＭセル単位で区分することができない場合に発生する。中継線上に障害によってデータが伝送されることができないと、受信終端では、これをＡＴＭセル単位で区分することができないので、データ区分失敗をアラームとして感知する。
【００１５】
従って、受信終端がＡＩＳアラームを受信することができないとしても、ＬＣＤアラームを通して障害が発生したことを認識することができる。そして、本発明の実施形態は、送信終端に情報アラームである遠隔ＬＣＤ（Remote-LCD）アラームを伝送することによって、送信終端は、ＲＡＩアラームの代わりに遠隔ＬＣＤアラームを受信してこれを障害として認識する。このように、本発明の実施形態は、中継線路の障害を送信収束副層で感知し、これを送受信終端の管理個体に送信することによって、不必要なトラヒック送信を防止し、安定したシステムの運用を保持することができる。
【００１６】
以下、本発明の実施形態による商用網でアラームを感知するためのアラーム感知装置について添付図面を参照して説明する。ここで、ＡＩＳ／ＲＡＩアラームを認識することができない商用網がＣＤＭＡ２０００システムであることを例に挙げて説明する。
ＣＤＭＡ２０００システムは、端末と無線で通信を遂行する基地局システムを含む。この基地局システムは、データを端末または上位階層へ送受信する基地局送受信装置（base station transceiver subsystem（ＢＴＳ）；以下、基地局と称する。）と、この基地局を制御する基地局制御器（base station controller（ＢＳＣ）；以下、制御局と称する。）とから構成される。
【００１７】
この基地局と制御局との間の物理線上で障害が発生すると、これを感知して処理するアラーム感知装置について具体的に説明すると、下記の通りである。
図３は、本発明の実施形態による移動通信システムにおけるアラーム感知装置を示すブロック図である。図３に示すＣＤＭＡ２０００システムでの制御局１１０及び基地局１２０は、これらの内部に含まれた回線インターフェース（Line Interface）ボード、例えば、ＡＥＰ（AppleTalk Echo Protocol）及びＢＩＰ（Bearer Independent Protocol）を意味する。
【００１８】
図３を参照すると、アラーム感知装置は、制御局１１０及び基地局１２０の個々のインターフェースボードと障害管理部１３０とに区分される。
制御局１１０は、アラームを検出して管理するＡＴＭ送信収束副層(ＴＣ)の装置ドライバー（Device Driver）１１１と、ＡＴＭ網の運用及び維持保守機能を担当する近終端部（Near End Ad-on-hold（ＡＯＨ））１１２と、を含む。基地局１２０は、ＡＴＭ網の運用及び維持保守機能を担当する遠終端部（Far End ＡＯＨ）１２１を含む。ここで、制御局１１０の近終端部１１２及び基地局１２０の遠終端部１２１は、システムでのすべてのハードウェア及びソフトウェアアラームを管理する障害管理部１３０と連動する。
【００１９】
このような構造を有するＡＴＭ網のアラーム感知装置を用いて、アラームを感知する手順を添付図面を参照して説明する。
このアラーム感知装置において、アラームを感知するための手順は、アラーム監視ステップ（Alarm Audit）２００、２３０、アラームが発生するときの処理ステップ２１０、及びアラームが解除するときの処理ステップ２２０に区分されることができる。
【００２０】
図４は、本発明の実施形態による移動通信システムでアラームを感知するための処理手順を示すメッセージフロー図である。
図４を参照すると、制御局（またはＡＥＰボード）１１０及び基地局（またはＢＩＰボード）１２０が初期化されると、近終端部１１２及び遠終端部１２１は、アラーム監視ステップ２００を遂行する。アラーム感知ステップ２００で、近終端部１１２及び遠終端部１２１は、障害管理部１３０と送信収束副層（ＴＣ）のＡＴＭ装置ドライバー１１１が維持するアラーム状態を同期化させる。このようなステップは、近終端部１１２及び遠終端部１２１が初期化されるステップに応答して遂行され、障害管理部１３０から周期的な要請に応答して遂行される。このような過程において、近終端部１１２及び遠終端部１２１は、ＡＴＭ装置の現在のアラーム状態を確認して障害管理部１３０に報告する。ここで、周期的な要請は、望ましく２．５秒の間隔で行われる。
【００２１】
アラーム監視ステップ２００を遂行する中、ステップ２１１で、基地局１２０から制御局１１０へ信号を伝送する間、物理線（Physical Line）１０１上で障害が発生すると、ＡＴＭ装置ドライバー１１１は、近終端部１１２から受信されたデータがないので、ＬＣＤアラームを監視する。このとき、ＬＣＤアラームが発生する場合、ステップ２１２で、ＡＴＭ装置ドライバー１１１は、装置状態（state machine）に基づいてＬＣＤアラームの発生を検出し、近終端部１１２にＬＣＤメッセージ（LCD Happened Message）を伝送する。
ステップ２１３で、近終端部１１２は、障害管理部１３０にＬＣＤアラームの発生を通知する。ステップ２１４で、近終端部１１２は、自分のＬＣＤアラームが解除されるまで、遠終端部１２１に遠隔ＬＣＤメッセージ（Remote LCD Happened Message）を２．５秒の間隔で継続して伝送する。そうすると、ステップ２１５で、遠終端部１２１は、障害管理部１３０に遠隔ＬＣＤアラームを伝送する。すなわち、遠終端部１２１は、障害管理部１３０に中継線上に発生した障害を知らせるＬＣＤアラームの受信を通知する。このとき、特定の方向でリンクの切断によって、ハンドシェイク（handshake）方式を使用することができないので、遠終端部１２１は、自分のＬＣＤアラームが解除されるまで、２．５秒の間隔で反復して伝送した単方向メッセージである遠隔ＬＣＤメッセージを継続して伝送する。
【００２２】
このように、アラームを感知した後に障害が発生した部分の障害を克服すると、アラーム感知装置は、アラームを解除するときの処理ステップ２２０を遂行する。
ステップ２２１で、ＡＴＭ装置ドライバー１１１が障害の発生した物理線１０１が正常状態で復旧されたことを感知すると、ステップ２２２で、ＡＴＭ装置ドライバー１１１は、装置の状態に基づいてＬＣＤアラームが解除されたことを決定し、近終端部１１２にＬＣＤ解除メッセージ（LCD Cleared Message）を伝送する。
【００２３】
ステップ２２３で、近終端部１１２は、ＬＣＤアラームの解除を障害管理部１３０に通知する。ステップ２２４で、近終端部１１２は、応答メッセージを受信するときまで、遠終端部１２１に遠隔ＬＣＤ解除メッセージ（Remote LCD Cleared Message）を２．５秒の間隔で継続して伝送する。
【００２４】
そうすると、ステップ２２５で、遠終端部１２１は、ＬＣＤアラームの解除を障害管理部１３０に通知する。ステップ２２６で、遠終端部１２１は、近終端部１１２に遠隔ＬＣＤ解除応答メッセージ（Remote LCD Cleared Ack Message）を伝送する。ここで、現在受信された遠隔ＬＣＤアラームが以前の遠隔ＬＣＤと同一の場合、遠終端部１２１は、遠隔ＬＣＤアラームを無視する。ステップ２２７で、近終端部１１２は、遠終端部１２１に遠隔ＬＣＤ解除メッセージの伝送を中止する。このとき、リンクが正常状態で復旧されたので、２−ｗａｙハンドシェイク方式を使用する。２−ｗａｙハンドシェイク方式の遂行によって、近終端部１１２が遠終端部１２１から遠隔ＬＣＤ解除応答メッセージを受信すると、近終端部１１２は、解除情報を構成する遠隔ＬＣＤ解除メッセージをこれ以上伝送しない。しかしながら、この遠隔ＬＣＤ解除応答メッセージが受信されないと、近終端部１１２は、この遠隔ＬＣＤ解除応答メッセージが受信されるまで、２．５秒の間隔でこの遠隔ＬＣＤ解除メッセージを継続して伝送する。
【００２５】
このように障害を克服し、ＬＣＤアラームを解除すると、近終端部１１２及び遠終端部１２１は、アラーム監視ステップ２３０をさらに遂行する。
【００２６】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００２７】
【図１】従来のＡＴＭ網で中継器を通したアラーム感知及びシグナリングを示すブロック図である。
【図２】従来のＩＳＤＮ網で多重化器によるアラーム送信の断絶を示すブロック図である。
【図３】本発明の実施形態による移動通信システムにおけるアラーム感知装置を示すブロック図である。
【図４】本発明の実施形態による移動通信システムにおけるアラームを感知するための手順を示すメッセージのフロー図である。
【符号の説明】
【００２８】
１１０      制御局
１１１      ＡＴＭ装置ドライバー
１１２      近終端部
１２０      基地局
１２１      遠終端部
１３０      障害管理部
【図１】
2005218083.tif 000003
【図２】
2005218083.tif 000004
【図３】
2005218083.tif 000005
【図４】
2005218083.tif 000006
【外国語明細書】
2005218083.tif 000007
2005218083.tif 000008
2005218083.tif 000009
2005218083.tif 000010
2005218083.tif 000011
2005218083.tif 000012
2005218083.tif 000013
2005218083.tif 000014
2005218083.tif 000015
2005218083.tif 000016
2005218083.tif 000017
2005218083.tif 000018
2005218083.tif 000019
2005218083.tif 000020
2005218083.tif 000021
2005218083.tif 000022
2005218083.tif 000023